(57)【特許請求の範囲】
【請求項１】
左右の両側部にわたって長い長尺のクラウンとベッドをその両側端部でタイロッドで結合するとともに、このクラウンとベッドとの間にスライドをその両側端部の結合部を介して上記タイロッドに嵌装し、このタイロッドにそってスライドを昇降してプレス成形するように配設した大型プレス装置であって、
上記長尺のクラウンとベッドをその両側方向の一側端側から他側端側にわたった長さの一体形状として複数個にプレス成形方向に垂直な装置の前後の幅方向に分割して、
このクラウンやベッドの一側端側から他側端側にわたった長さに一体形状として分割した各分割長尺部材同士をこれらの前後の幅方向に接合して分割結合用タイロッドで一体的に結合してクラウン、ベッドを形成しているとともに、その分割結合用タイロッドに所定の大きさのプリロードを与えて各分割長尺部材同士を上記幅方向に対して締め付けて結合したことを特徴とする大型プレスフレームの締結方法。
【請求項２】
分割結合用タイロッドのプリロードを分割長尺部材の中央側よりも両側の分割結合用タイロッドのプリロードを大きくした請求項１に記載の大型プレスフレームの締結方法。
【請求項３】
分割結合用タイロッドを、クラウンおよびベッドのプレス成形方向での中心軸における水平面に対してそれぞれ対称状に配設した請求項１または２に記載の大型プレスフレームの締結方法。
【請求項４】
クラウンおよびベッドの分割した分割長尺部材の接合面の中立線位置付近に段落部を設けて分割長尺部材をそれぞれ接合し、締め付けて結合した請求項１ないし３のいずれかに記載の大型プレスフレームの締結方法。
【請求項５】
スライドについても、スライドの一側端側から他側端側にわたった長さの一体形状として複数個にプレス成形方向に垂直なスライドの前後の幅方向にそれぞれ分割した各分割長尺部材同士をスライドの前後の方向に接合して結合した請求項１ないし４のいずれかに記載の大型プレスフレームの締結方法。
【発明の詳細な説明】
【０００１】
【産業上の利用分野】
本発明は、大型プレス装置に関し、特に長尺のクラウンおよびベッドを分割構成した大型プレスフレームの締結方法に関する。
【０００２】
従来、造船やタンク等の大型構造物にあっては、部品をできるだけ一体的にプレス成形する要求があり、プレス装置は増々大型化している。
【０００３】
【発明が解決しようとする課題】
しかし、プレス装置が大型化すると、クラウン、ベッド等が大きくなり、その製造の加工や組立に大型の吊上装置が必要になり、また運搬時には幅、重量の制限から特に陸送において大きな問題となる。
【０００４】
そのため、クラウン、スライド、ベッド等の大きな構成部品について分割構成することが提案されているが、大きなプレス力に対して高精度を維持できて、耐久性よく成形することが課題となっていた。
【０００５】
【課題を解決するための手段】
本発明は、上記のような点に鑑みたもので、上記の課題を解決するために、左右の両側部にわたって長い長尺のクラウンとベッドをその両側端部でタイロッドで結合するとともに、このクラウンとベッドとの間にスライドをその両側端部の結合部を介して上記タイロッドに嵌装し、このタイロッドにそってスライドを昇降してプレス成形するように配設した大型プレス装置であって、上記長尺のクラウンとベッドをその両側方向の一側端側から他側端側にわたった長さの一体形状として複数個にプレス成形方向に垂直な装置の前後の幅方向に分割して、このクラウンやベッドの一側端側から他側端側にわたった長さに一体形状として分割した各分割長尺部材同士をこれらの前後の幅方向に接合して分割結合用タイロッドで一体的に結合してクラウン、ベッドを形成しているとともに、その分割結合用タイロッドに所定の大きさのプリロードを与えて各分割長尺部材同士を上記幅方向に対して締め付けて結合したことを特徴とする大型プレスフレームの締結方法を提供するにある。
【０００６】
【作用】
本発明のタイロッドで結合した大型プレス装置では、左右の両側部にわたって長い長尺のクラウンとベッドをその両側端部でタイロッドで結合するとともに、このクラウンとベッドとの間にスライドをその両側端部の結合部を介して上記タイロッドに嵌装し、このタイロッドにそってスライドを昇降してプレス成形するように配設した大型プレス装置であって、上記長尺のクラウンとベッドをプレス成形方向に垂直な装置の前後の幅方向にクラウンやベッドの長さ方向の一側端側から他側端側にわたった長さに一体形状として複数個にそれぞれ分割したことによって、大型部品の幅、重量を所定の範囲に抑えることができ、陸送や工場内での運搬が容易で、加工や組立も容易に行なえる。
【０００７】
【発明の効果】
また、このクラウンやベッドの一側端側から他側端側にわたった長さに一体形状として分割した各分割長尺部材同士をこれらの前後の幅方向に接合して分割結合用タイロッドで一体的に結合してクラウン、ベッドを形成しているとともに、その分割結合用タイロッドに所定の大きさのプリロードを与えて各分割長尺部材同士を上記幅方向に対して締め付けて結合したことによって、大きなプレス力に対しても、プリロードを与えた分割結合用タイロッドでクラウンやベッドの一側端側から他側端側にわたった長さの一体形状とした各分割長尺部材同士を強固に接合でき、分割して一体形成したクラウンやベッドを高精度を維持できて、耐久性よくプレス成形することができる。
【０００８】
また、分割長尺部材の中央側よりも両側の分割結合用タイロッドのプリロードを大きくすることによって、クラウンおよびベッドにかかる力に対して適正に対応でき、高精度を保てるようにできる。
【０００９】
さらに、クラウン、ベッドをその断面が左右対称状にそれぞれの複数個に分割するとともに、その分割した分割長尺部材の接合面の中立線位置付近に段落部を設けて分割長尺部材をそれぞれ接合し、締め付けて結合することによって、段落部で分割長尺部材を精度よく接合できるとともに、プレス荷重に対しても前後均等に分散できて、耐久性を保持することができる。
【００１０】
【実施例】
以下、本発明を実施例にもとづいて説明する。図１以下は、本発明の一実施例である。大型プレス装置１は、図１、図２のように上下のクラウン２、ベッド３の両側部の前後に結合部４、５をそれぞれ設け、所定の長さのタイロッド６でそれぞれ平行状にナット７を介して組立分解可能に結合している。
【００１１】
そして、図１、図２のように上記クラウン２、ベッド３の間に、スライド８を結合部９を介してタイロッド６に嵌装し、クラウン２部に配設した油圧シリンダー１０で昇降駆動自在としている。１１は、スライド８の引戻用シリンダーである。
【００１２】
上記したクラウン２、ベッド３、スライド８は、図２、図３のように前後対称状に３分割の複数個に分割した溶接構造としていて、プレス成形方向に垂直な前後の幅方向にクラウンやベッドの長さ方向の一側端側から他側端側にわたった長さの一体形状として分割したそれぞれの分割長尺部材１２、１３、１４同士を幅方向に接合し、図１のように所定の間隔で分割結合用タイロッド１５、１６、１７でそれぞれ締め付けて一体的に結合して形成している。
【００１３】
これらの分割結合用タイロッド１５、１６、１７は、クラウン２、ベッド３、スライド８にそれぞれ上下対称状に配設しているとともに、分割結合用タイロッド１５、１６、１７にそれぞれ通常の締め付け力の１．２〜１．５倍のプリロードを与えて締め付けて結合している。
【００１４】
上記分割結合用タイロッド１５、１６、１７にプリロードを与えるには、電気ヒーター加熱したり、スチーム加熱したりして所定の温度に加熱し、熱膨張させて締め付けて行うのが比較的容易で好ましい。しかし、油圧ジャッキ等を用いて所定の力で締め付けて行うこともできる。
【００１５】
また、上記分割結合用タイロッド１５、１６、１７のプリロード力は、クラウン２、ベッド３、スライド８の中央側よりも両側の方へより大きくしておくのが、プレスに対する支持力のバランス上好ましく、クラウン２、ベッド３、スライド８の反り、曲がりに対して高精度を保持できて好ましい。
【００１６】
また、クラウン２、ベッド３、スライド８は、図２、図３のように３分割した各分割長尺部材１２、１３、１４の接合面の中立線位置付近に段落部１８、１９、２０をそれぞれ設けて、各分割長尺部材１２、１３、１４を接合して結合し、精度を高められるようにしている。
【００１７】
しかして、製作加工にあっては、クラウン２、ベッド３、スライド８をそれぞれ分割長尺部材１２、１３、１４として取り扱うことができ、幅および重量を抑えられ、ハンドリング性がよく、円滑かつ迅速に行える。
【００１８】
また、組立にあっても、幅および重量が抑えられるため、ハンドリング性がよく、また運搬も比較的容易に行なえて好ましいものである。
【００１９】
さらに、プレス成形にあっては、上記分割結合用タイロッドにプリロードを与えて分割長尺部材を結合しているため、クラウン、ベッド、スライドを強固に結合できてプレス成形できる。
【００２０】
上記実施例では、クラウン、ベッド、スライドを３分割したが、上記した本発明の趣旨にもとづいて２分割や４分割以上も可能である。しかし、あまり分割数を増すのは強度上や経済面で好ましくない。
【００２１】
【発明の効果】
以上のように本発明にあっては、左右の両側部にわたって長い長尺のクラウンとベッドをその両側端部でタイロッドで結合するとともに、このクラウンとベッドとの間にスライドをその両側端部の結合部を介して上記タイロッドに嵌装し、このタイロッドにそってスライドを昇降してプレス成形するように配設した大型プレス装置であって、上記長尺のクラウンとベッドをプレス成形方向に垂直な装置の前後の幅方向にクラウンやベッドの長さ方向の一側端側から他側端側にわたった長さに一体形状として複数個にそれぞれ分割したので、大型プレス装置の大型部品の幅、重量を所定の範囲に抑えることができ、陸送や工場内での運搬が容易で、加工や組立も容易に行なえる。
【００２２】
そして、このクラウンやベッドの一側端側から他側端側にわたった長さに一体形状として分割した各分割長尺部材同士をこれらの前後の幅方向に接合して分割結合用タイロッドで一体的に結合してクラウン、ベッドを形成しているとともに、その分割結合用タイロッドに所定の大きさのプリロードを与えて各分割長尺部材同士を上記幅方向に対して締め付けて結合したので、大きなプレス力に対しても、プリロードを与えた分割結合用タイロッドでクラウンやベッドの長さ方向の一側端側から他側端側にわたった長さの一体形状とした各分割長尺部材同士を強固に接合でき、このクラウンやベッドを高精度を維持できて、耐久性よくプレス成形することができる。
【００２３】
また、分割長尺部材の中央側よりも両側の分割結合用タイロッドのプリロードを大きくすることによって、クラウン、ベッドにかかる分力に対して適正に対応き、高精度を保てるようにできる。
【００２４】
さらに、分割結合用タイロッドを、クラウンおよびベッドのプレス成形方向での中心軸における水平面に対してそれぞれ対称状に配設したことによって、クラウン、ベッドにかかる分力に対して適正に対応でき、精度を保てるようにでき、またクラウン、ベッドの分割した分割長尺部材の接合面の中立線位置付近に段落部を設けて分割長尺部材をそれぞれ接合し、締め付けて結合することによって、段落部で分割長尺部材を精度よく接合できるとともに、プレス荷重に対しても前後均等に分散できて、耐久性を保持することができる。
またさらに、スライドについても、スライドの一側端側から他側端側にわたった長さの一体形状として複数個にプレス成形方向に垂直なスライドの前後の幅方向にそれぞれ分割した各分割長尺部材同士をスライドの前後の方向に接合して結合したことによって、上記したクラウンやベッドと同じようにできる。
【図面の簡単な説明】
【図１】本発明の一実施例の平面図、
【図２】同上の側面図、
【図３】同上の図１の矢視Ａ−Ａ断面図。
【符号の説明】
１…大型プレス装置            ２…クラウン              ３…ベッド
６…タイロッド                ８…スライド
１２、１３、１４…分割長尺部材  １５、１６、１７…分割結合用タイロッド
１８、１９、２０…段落部
【図１】
0003795097.tif 000002
【図２】
0003795097.tif 000003
【図３】
0003795097.tif 000004